(57)【要約】【課題】  扁平足の程度に応じて、自由自在にその形状を変化させることができ、あらゆるタイプの偏平足の人に適合し、十分な矯正効果を得ることができる。【解決手段】  本発明は、足３の土踏まず部分４に密着させて使用する足裏健康器具１であって、弾性材料製で伸縮自在の袋体２を備えており、袋体２には、内部に流体を封入可能且つ排出可能な流体出入口５が設けられていることを特徴とし、好ましくは、袋体２の上面側には、弾性材料製の複数の突起部６及び永久磁石７が足３の土踏まず部分４に密着可能なように設けられている。【選択図】  図１
2006095128.tif 000002
【特許請求の範囲】
【請求項１】
足の土踏まず部分に密着させて使用する足裏健康器具であって、
弾性材料製で伸縮自在の袋体を備えており、該袋体には、内部に流体を封入可能且つ内部から流体を排出可能な流体出入口が設けられていることを特徴とする足裏健康器具。
【請求項２】
前記袋体の上面側には、弾性材料製の複数の突起部及び永久磁石が足の土踏まず部分に密着可能なように設けられている請求項１に記載の足裏健康器具。
【請求項３】
前記袋体の底面側には該袋体を履物の底板に着脱可能な袋体固定部が設けられている請求項１又は２に記載の足裏健康器具。
【発明の詳細な説明】
【技術分野】
【０００１】
本発明は、足の土踏まず部分に密着させ、扁平足を矯正することのできる足裏健康器具に関するものである。
【背景技術】
【０００２】
一般に、足裏が平らで土踏まず部分のない、いわゆる扁平足の人は、身体のバランスを取り難いため、歩行時に疲れ易かったり、或いは、うまく歩行動作ができなかったりすることが知られている。そこで、従来、そのような扁平足を矯正するため、足の土踏まず部分に相当する部位に土踏まず部分と密着する盛り上がり部分を形成させた靴或いはその中敷が提案されている（例えば、特許文献１，２参照）。
【特許文献１】特開２０００−１６６６０４号公報
【特許文献２】特開２００４−１６６８１０号公報
【発明の開示】
【発明が解決しようとする課題】
【０００３】
しかしながら、扁平足の人であっても、その扁平足の程度は千差万別であるため、上記した従来の靴或いはその中敷のように、足の土踏まず部分と密着する盛り上がり部分が予め所定の形状に成形されていたのでは、いろいろなタイプの扁平足に適合させることは不可能であった。そのため、扁平足の矯正効果も人によっては十分に得ることができないといった問題があった。
【０００４】
本発明は、上記した課題を解決すべくなされたものであり、扁平足の程度に応じて、自由自在にその形状を変化させることができ、あらゆるタイプの偏平足の人に適合し、十分な矯正効果を得ることのできる足裏健康器具を提供しようとするものである。
【課題を解決するための手段】
【０００５】
本発明は、足３の土踏まず部分４に密着させて使用する足裏健康器具１であって、弾性材料製で伸縮自在の袋体２を備えており、袋体２には、内部に流体を封入可能且つ内部から流体を排出可能な流体出入口５が設けられていることを特徴とする。
【０００６】
そして、好ましくは、前記袋体２の上面側には、弾性材料製の複数の突起部６及び永久磁石７が足３の土踏まず部分４に密着可能なように設けられているのがよい。
【０００７】
また、前記袋体２の底面側には袋体２を履物の底板８に着脱可能な袋体固定部９が設けられているのがよい。
【発明の効果】
【０００８】
本発明によれば、袋体には内部に流体を封入可能且つ内部から流体を排出可能な流体出入口が設けられているため、扁平足の程度に応じて、袋体の内部に封入する流体の量を調節し、袋体の形状を自由自在に変化させることができる。そのため、あらゆるタイプの扁平足の人の土踏まず部分にも袋体を確実に密着させることができ、起立時や歩行時のバランスを改善させることができる。従って、子供から大人まであらゆるタイプの扁平足の人に対して十分な矯正効果を得ることができると共に、外反母趾の矯正も図ることができる。
【０００９】
また、袋体の上面側に複数の突起部及び永久磁石が足の土踏まず部分に密着可能なように設けられている場合には、突起部及び永久磁石により足の土踏まず部分を有効に刺激し、十分なマッサージ効果を得ることができる。したがって、血行を促進し、臓器の活性化が可能となり、健康の増進及び体質改善を図ることもできる。
【００１０】
さらに、袋体の底面側には袋体を履物の底板に着脱可能な袋体固定部が設けられている場合には、履物の底板に対して、必要に応じて袋体を着脱させることができ、使い勝手を向上させることができる等、種々の優れた効果を得ることができる。
【発明を実施するための最良の形態】
【００１１】
以下、図１〜図３を参照しつつ、本発明の実施の形態に係る足裏健康器具について説明する。ここで、図１は本実施の形態に係る足裏健康器具を示す平面図、図２は図１のＡ−Ａ断面図、図３は足裏健康器具を示す側面図である。
【００１２】
本実施の形態に係る足裏健康器具１は、合成ゴム等の弾性材料から成る伸縮自在の袋体２から構成されており、この袋体２は足３の土踏まず部分４に密着可能なように形成されている。袋体２の側面側には空気出入口５が設けられており、この空気出入口５から、空気ボンベ等の空気封入具（図示せず）を使用して、袋体２の内部に空気を封入したり、或いは、その内部の空気を排出させたりすることができるようになっている。
【００１３】
この袋体２の上面側には、多数の突起部６が上方に突出して設けられており、これらの突起部６は袋体２と同一材料で一体成形されている。さらに、袋体２の上面側には、所要数（図１では３個）の永久磁石７が埋設されており、これらの永久磁石７と前記突起部６は足３の土踏まず部分４に密着可能なように設けられている。
【００１４】
また、袋体２の底面側には、袋体２を、靴やサンダルやスリッパ等の履物の底板８（中敷を含む）に着脱可能な袋体固定部９が設けられており、袋体固定部９には、両面粘着テープやマジックテープ（登録商標）等、各種材料を使用することできる。
【００１５】
このような構成において、この足裏健康器具１を使用する場合、袋体固定部９を介して袋体２を履物の底板８に固定させ、足３の土踏まず部分４に突起部６及び永久磁石７が当るように、底板８上に足３を載せる。そして、この状態において、前記空気ボンベ等によって、空気出入口５を介して袋体２の内部に空気を封入し、足３の土踏まず部分４に突起部６及び永久磁石７を密着させる。
【００１６】
このように、上記した実施の形態に係る足裏健康器具１によれば、空気出入口５が袋体２の側面側に形成されているため、履物の底板８上に足３を載せた状態で、袋体２の内部に空気を封入することができる。すなわち、扁平足の程度に応じて、袋体２の内部に封入する空気の量を調節し、袋体２の形状を自由自在に変化させることができるため、あらゆるタイプの扁平足の人の足３の土踏まず部分４にも突起部６及び永久磁石７を確実に密着させることができ、起立時や歩行時のバランスを改善させることができる。また、最初は袋体２の高さを低くしておき、使用に慣れるに従って徐々に袋体２の高さを高くしていく等、偏平足の治療の度合いに応じて、袋体２の高さを変えることもできる。したがって、足３の土踏まず部分４の形状の異なる子供から大人まで、あらゆるタイプの偏平足の人に対して十分な矯正効果を得ることができると共に、外反母趾の矯正にも有効である。
【００１７】
また、突起部６及び永久磁石７により足の土踏まず部分４を有効に刺激し、十分なマッサージ効果を得ることができるため、血行を促進し、臓器の活性化が可能となり、健康の増進及び体質改善を図ることもできる。さらに、袋体２の底面側に履物の底板８に着脱可能な袋体固定部９が設けられているため、履物の底板に対して、必要に応じて袋体を着脱させることができ、使い勝手を向上させることができる。
【００１８】
なお、上記実施の形態においては、袋体２の内部に空気を封入しているが、シリコン樹脂等、他の流体を封入するようにしてもよく、内部に常温で硬化する流体を封入した場合には、袋体２の形状が足３の土踏まず部分４に合致した形状に保持されるようになるため、より効果的である。
【００１９】
また、袋体２のサイズは、予め、複数タイプ用意しておくことも可能であり、サイズ別に袋体２に着色を施すようにすることもできる。このように、袋体２のサイズを予め複数タイプ用意するようにした場合には、足３の土踏まず部分４に対する袋体２や突起部６及び永久磁石７のフィット感が一段と向上するため、上記した効果を一層高めることができる。
【図面の簡単な説明】
【００２０】
【図１】本発明の実施の形態に係る足裏健康器具を示す平面図である。
【図２】図１のＡ−Ａ断面図である。
【図３】本発明の実施の形態に係る足裏健康器具を示す側面図である。
【符号の説明】
【００２１】
１          足裏健康器具
２          袋体
３          足
４          土踏まず部分
５          空気（流体）出入口
６          突起部
７          永久磁石
８          底板
９          袋体固定部
【図１】
2006095128.tif 000003
【図２】
2006095128.tif 000004
【図３】
2006095128.tif 000005